(57)【要約】【課題】従来、身の回り品物、例えば、携帯電話、タハ゛コ等の人体取付け式の容器（携帯電話用のケース）がある。携帯電話用のケースは、ヘ゛ルトに装着できる通し部と、挿入可能な開閉式の袋部とでなり携帯電話をワンタッチで収容、取出しできる。従って、携帯電話用のケースでは、携帯電話の袋部への収容の容易化を主眼とする。携帯電話のほとんどが露出して、安全性、保安性等に欠ける。雨水による故障も考えられる。【構成】本発明は、箱形を呈する開口部を備えた容器本体に、取付部、蓋、及び蓋に係止される鉤片と、鉤片を操作する操作部とをそれぞれ設けた人体取付け式の容器であって、操作部の動きで鉤片と蓋の係止を解除し、またハ゛ネによる操作部の復帰で鉤片と蓋の係止を図り、蓋の開閉を図るとともに、開閉を蓋と容器本体との枢着部で行なう構成とした人体取付け式の容器である。従って、携帯電話、他の品物等を、安全、確実に収容できる。【選択図】　　図１
2004089386.tif 000002
【特許請求の範囲】
【請求項１】
箱形を呈する品物の出入口となる開口部を備えた容器本体に、ヘ゛ルト等の装身具に取付ける取付部と、前記開口部を開閉する蓋と、この蓋の係止部に係止される被係止部を備えた鉤片と、この鉤片を操作する操作部とをそれぞれ設ける構成とした人体取付け式の容器であって、
この係止部と被係止部とを前記操作部で解除し、また操作部の復帰で前記係止部と被係止部との係止を図り、前記蓋の開閉を図るとともに、この開閉を、この蓋と前記容器本体との枢着部で行なう構成とした人体取付け式の容器。
【請求項２】
請求項１の品物の出入口となる開口部を備えた容器本体は、その底部を開放箇所とし、この開放箇所に、底板を、取付け、取外し自在に設ける構成とした人体取付け式の容器。
【請求項３】
請求項１の取付部を、容器本体に設けた取付孔に、取付又は取外自在に設ける構成とした人体取付け式の容器。
【請求項４】
請求項１の容器本体は、タハ゛コ、携帯電話等の小物を収容できる構成とした人体取付け式の容器。
【請求項５】
請求項１の容器本体は、コ゛ルフホ゛ール等の比較的大きな品物を収容できる構成とした人体取付け式の容器。
【発明の詳細な説明】
【０００１】
【発明の属する技術分野】
この発明は、人体取付け式の容器（ケース）に関する。
【０００２】
【従来の技術】
周知の如く、身の回り品物（商品）、例えば、携帯電話、タハ゛コ等の如く、小物類の人体取付け式の容器がある。そして、重宝されているものが、携帯電話用の人体取付け式の容器（携帯電話用のケース）である。この携帯電話用のケースは、ヘ゛ルトに装着できる通し部と、挿入可能な開閉式の袋部とで構成し、携帯電話をワンタッチで収容又は取出しできることを意図する。しかし、この携帯電話用のケースでは、携帯電話の袋部への収容の容易化を主眼とすることから、この携帯電話のほとんどが露出して、安全性、保安性等に欠けること、又は雨水による故障も考えられること、等の改良点がある。また材質面では、布、合成皮革、又は皮等の軟質材を使用することから、破損し易いこと、又は雨水による損傷が受け易いこと、等の他の改良点も考えられる。
【０００３】
またこれに関する文献として、特開２００１−２８６３１８の携帯電話用ケースがある。その概要は、携帯電話を収容できるケース本体と、このケース本体に設けたヘ゛ルト通しとで構成し、このケース本体をヘ゛ルト方向（人の腹回り方向）に長くしたことで、着座時の障害を解消したことを特徴とする。その他携帯電話に直接フック部材を設けた携帯電話もある（例えば、特開平１０−１４５２５９号）。
【０００４】
【発明が解決しようとする課題】
従来、ヘ゛ルト通しを備えた携帯電話用のケースにおいては、構造面と材質面等の課題が考えられる。例えば、構造面では、安全性、保安性等に欠けること、又は雨水による故障等の要因となること、また材質面では、破損し易いこと、又は雨水による損傷が受け易いこと、等である。従って、少なくとも、構造面及び／又は材質面における課題を解決できる携帯電話用のケース（他の品物等の収容用のケースを含むことは、前述の通りである）が要望される。
【０００５】
また文献の発明では、着座時にシート、床面等に接触することによる弊害は、解消できる。しかし、その反面で、次のような課題が考えられる。例えば、ケースがヘ゛ルト方向に長くなり、またこのケースに硬質の携帯電話を収容する構成では、違和感があること、又は装着時の怪我、衝突等の危険性があること、等である。従って、この課題を解決できる携帯電話用のケースが要望される。
【０００６】
【課題を解決するための手段】
請求項１の発明は、携帯電話、他の品物等を、安全、確実に収容すること、又は雨水による弊害を回避すること、等を意図する。そして、装着時の安心感、安定性、又は携帯等の品物（小物類）の収容、取出しの容易性、簡便性等の確保を意図する。
【０００７】
請求項１は、箱形を呈する品物の出入口となる開口部を備えた容器本体に、ヘ゛ルト等の装身具に取付ける取付部と、前記開口部を開閉する蓋と、この蓋の係止部に係止される被係止部を備えた鉤片と、この鉤片を操作する操作部とをそれぞれ設ける構成とした人体取付け式の容器であって、
この係止部と被係止部とを前記操作部で解除し、また操作部の復帰で前記係止部と被係止部との係止を図り、前記蓋の開閉を図るとともに、この開閉を、この蓋と前記容器本体との枢着部で行なう構成とした人体取付け式の容器である。
【０００８】
請求項２の発明は、請求項１の目的を達成すること、又は容器本体の使用の容易化、汎用化等を図ること、或いは必要により、底板を取替えて、この容器本体の雰囲気の変更をすること、等を意図する。
【０００９】
請求項２は、請求項１の品物の出入口となる開口部を備えた容器本体は、その底部を開放箇所とし、この開放箇所に、底板を、取付け、取外し自在に設ける構成とした人体取付け式の容器である。
【００１０】
請求項３の発明は、請求項１の目的を達成すること、又は容器本体の被取付け箇所の汎用化、又は使用の容易化等を図ること、或いは必要により、取付部を取替えて、この容器本体の雰囲気の変更をすること、等を意図する。
【００１１】
請求項３は、請求項１の取付部を、容器本体に設けた取付孔に、取付又は取外自在に設ける構成とした人体取付け式の容器である。
【００１２】
請求項４の発明は、請求項１の目的を達成すること、又は容器本体の使用範囲の拡充と、汎用化等を図ること、或いは必要により、種々の品物の収容に利用可能として、お洒落な容器として利用すること、等を意図する。
【００１３】
請求項４は、請求項１の容器本体は、タハ゛コ、携帯電話等の小物を収容できる構成とした人体取付け式の容器である。
【００１４】
請求項５の発明は、請求項１の目的を達成すること、又は種々の品物の収容に利用可能として、利便性を確保すること、又は利用範囲の拡充を図り、かつ使い勝手のよい容器を提供すること、等を意図する。
【００１５】
請求項５は、請求項１の容器本体は、コ゛ルフホ゛ール等の比較的大きな品物を収容できる構成とした人体取付け式の容器である。
【００１６】
【発明の実施の形態】
以下、本発明の実施の形態を、各例について説明する。
【００１７】
：　図１〜図４に示した一例を説明すると、箱形を呈する容器本体１は、品物Ａの収容部１００と、品物Ａの出入口となる開口部１０１を少なくとも備えており、必要により底板２を、蟻溝嵌合、押込み式等を介して取外し自在（取付け、取外し）に設ける。この容器本体１の一方側面１ａにはヘ゛ルト等の装身具（図示せず）に取付ける取付部３と、また他方側面１ｂに設けた開口部１０１には枢着部４を介して開閉自在の蓋５が設けられている。この蓋５の開放側に係止部５００を設け、この係止部５００には、容器本体１に枢着した鉤片６の被係止部６００が係止される。そして、この鉤片６を操作する操作部７を前記容器本体１の他方側面１ｂに設け、この操作部７を、図面において、左右方向に押圧又は押圧開放（押圧、開放とする。一例である）することで、この鉤片６が枢着部６０１を支点として可動して、鉤片６の被係止部６００と、蓋５の係止部５００が係止又は係止解除（係止、解除とする。一例である）される。尚、鉤片６の容易な可動を意図して、各角部を面取りする。また被係止部６００と、係止部５００との係止、解除の容易化、軽いタッチでの開閉等を意図して、係止の形状を面取りするか、又は適宜の形状とする。また図示しないが、蓋５を鉤でロックすることも可能である。
【００１８】
従って、操作部７の押圧、開放により、鉤片６の被係止部６００と蓋５の係止部５００との係止、解除を図る。この係止、解除を介して蓋５が開閉される。そこで、例えば、蓋５の開放で品物Ａの収容及び／又は取出し（収容、取出しと一括する。一例である）を図り、また蓋５の閉塞で、品物Ａの取出し及び／又は収容（同様に収容、取出しと一括する。一例である）を図ることが目的であり、この構造では、この種の所作が、確実、ワンタッチで行えることと、何人も確実かつ容易に行える実益がある。尚、この操作部７の復帰は、この操作部７に捲装するハ゛ネ７０、操作部７の弾性復帰、又は手動、被係止部６００の反撥等を利用する（一例であり、他の復帰手段を含む）。
【００１９】
尚、底板２は、容器本体１の底面側１ｃに取外し自在に設けて、汎用性、組付けの容易化、低コスト化、製造の容易化、又は故障・破損等における交換、美観の変更等に利用する。また蓋５には、必要により引掛け用の孔、空気抜き用孔、係止用孔等の孔８を設ける。図中９はフック環等の吊部を示す。この吊部９には、盗難防止、置き忘れ・失念防止、安全性等を考慮して、紐、フック等を係止し、ヘ゛ルト、身体等に取付ける。また収容部１００及び／又は蓋５の内側に植毛、クッション材等の緩衝部、又は防水材、断熱材等を設けて品物Ａの保護、防水、又は防湿、防温等を図ることも可能である（他の例も同じ）。また扉５を空洞として軽量化を意図することもできる（他の例も同じ）。前記孔８に蓋５に設けた係止部を嵌入することも可能である。
【００２０】
：図５に示した一例を説明すると、この例は、前述の図１〜図４に示した一例と略同じ構造であるが、品物Ａが、タハ゛コ、ライターであり、容器本体１との寸法の差があり、必要により仕切りを設ける。その他の構造は、図１〜図４に準ずる。
【００２１】
：図６に示した一例を説明すると、この例は、前述の図１〜図４に示した一例と略同じ構造であるが、品物Ａが、コ゛ルフホ゛ールであり、容器本体１との寸法の差があり、必要により仕切り、個別ホ゛ール取出し口、又は搬送部等を設ける。その他の構造は、図１〜図４に準ずる。尚、望ましくは、コ゛ルフホ゛ールの数は、３〜４個とし、１個ずつ取出し可能とすることがよい。またコ゛ルフホ゛ール等（品物Ａ）の如く、数を収容する例では、蓋５を折畳式、またシ゛ャハ゛ラ式等として１個（一部品）ごとに収容又は取出しできる構造も可能である（他の例も同じ）。
【００２２】
：図７に示した一例を説明すると、この例は、前述の図１〜図４に示した一例と略同じ構造であるが、鉤片６と操作部７の取付け位置と、動き等が異なる。例えば、鉤片６を上下動可能として、この上下動を、鉤片６を長孔６０２とヒ゜ン６０３とを利用して行なう。従って、容器本体１の上面側１ｄに設けた操作部７の上下動を介して図面において、上下方向に押圧又は押圧開放することで、この鉤片６とヒ゜ン６０３が長孔６０２を移動して、鉤片６の被係止部６００と、蓋５の係止部５００が係止又は係止解除（係止、解除とする。一例である）される。この係止、開放で、蓋５が開閉する構造である。その他の構造は、図１〜図４に準ずる。尚、この例においても、前述の図５、図６の品物Ａの種類によって変更する構造も採用できる。
【００２３】
：図８〜１０に示した一例を説明すると、この例は、前述の取付部３の他の一例であり、ヘ゛ルト等に取付ける取付部３−１に関する。そして、この例では、取付部３−１を、容器本体１の上面側１ｄに設けた取付孔１０２に着脱自在に設ける。その一例は、取付部３−１の形状及び／又は材質等を利用した圧縮及び／又は反撥等の操作で行うことが望ましい。また取付孔１０２の形状を変更して、取付部３−１の上面側１ｄの面方向で変更可能とする。このような構成を採用することで、多様な支持及び支持方法、利用の仕方、又は嗜好の要望等に対応できる。尚、取付孔１０２の設ける箇所（面方向の変更）は、上面側１ｄに限定されない。また取付部３−１に設けた爪３−１００を、取付孔１０２の段付係止１０１−１に係止することで、確実性、安定性、又は製造の容易性等が図れる。
【００２４】
【発明の効果】
請求項１の発明は、箱形を呈する品物の出入口となる開口部を備えた容器本体に、取付部と、蓋と、この蓋に係止される鉤片と、この鉤片を操作する操作部とをそれぞれ設ける構成とした人体取付け式の容器であって、操作部の動きで鉤片と蓋の係止を解除し、また操作部の復帰で鉤片と蓋の係止を図り、蓋の開閉を図るとともに、この開閉を、この蓋と容器本体との枢着部で行なう構成とした人体取付け式の容器である。従って、携帯電話、他の品物等を、安全、確実に収容できること、又は雨水による弊害を回避できること、等の特徴がある。また装着時の安心感、安定性、又は携帯等の品物（小物類）の収容、取出しの容易性、簡便性等の確保が図れる実益がある。
【００２５】
請求項２の発明は、請求項１の品物の出入口となる開口部を備えた容器本体は、その底部を開放箇所とし、この開放箇所に、底板を、取付け、取外し自在に設ける構成とした人体取付け式の容器である。従って、請求項１の目的を達成できること、又は容器本体の使用の容易化、汎用化等が図れること、或いは必要により、底板を取替えて、この容器本体の雰囲気を変更できること、等の特徴がある。
【００２６】
請求項３の発明は、請求項１の取付部を、容器本体に設けた取付孔に、取付又は取外自在に設ける構成とした人体取付け式の容器である。従って、請求項１の目的を達成できること、又は容器本体の被取付け箇所の汎用化、又は使用の容易化等が図れること、或いは必要により、取付部を取替えて、この容器本体の雰囲気を変更できること、等の特徴がある。
【００２７】
請求項４の発明は、請求項１の容器本体は、タハ゛コ、携帯電話等の小物を収容できる構成とした人体取付け式の容器である。従って、請求項１の目的を達成できること、又は容器本体の使用範囲の拡充と、汎用化等が図れること、或いは必要により、種々の品物の収容に利用可能として、お洒落な容器として利用できること、等の特徴がある。
【００２８】
請求項５の発明は、請求項１の容器本体は、コ゛ルフホ゛ール等の比較的大きな品物を収容できる構成とした人体取付け式の容器である。従って、請求項１の目的を達成できること、又は種々の品物の収容に利用可能として、利便性が確保できること、又は利用範囲の拡充を図り、かつ使い勝手のよい容器を提供できること、等の特徴がある。
【図面の簡単な説明】
【図１】本発明の一例を示す側面視した断面図
【図２】図１の正面図
【図３】図１の側面視した断面図で蓋が開いた状態の図
【図４】図１の側面視した断面図における分解した図
【図５】図１の側面視した断面図の他の使用例を示す図
【図６】図１の側面視した断面図のさらに他の使用例を示す図
【図７】本発明の他の一例を示す側面視した断面図
【図８】本発明の容器本体の他の一例を示す要部の平面図
【図９】図８の例の取付部の一例を示す側面図
【図１０】図８の例の蓋と取付部との関係を示す断面図で、（イ）は取付部の挿入時、（ロ）は取付部の係止時を示す
【符号の説明】
１　　　　　容器本体
１ａ　　　　一方側面
１ｂ　　　　他方側面
１ｃ　　　　底面側
１ｄ　　　　上面側
１００　　　　収容部
１０１　　　　開口部
１０１−１　　　段付係止
１０２　　　　取付孔
２　　　　　　底板
３　　　　　取付部
３−１　　　　　　　取付部
３−１００　　　爪
４　　　　　　枢着部
５　　　　　蓋
５００　　　　　　　係止部
６　　　　　　鉤片
６００　　　　被係止部
６０１　　　　枢着部
６０２　　　　長孔
６０３　　　　ヒ゜ン
７　　　　　　操作部
７０　　　　　ハ゛ネ
８　　　　　孔
９　　　　　吊部
Ａ　　　　　品物
【図１】
2004089386.tif 000003
【図２】
2004089386.tif 000004
【図３】
2004089386.tif 000005
【図４】
2004089386.tif 000006
【図５】
2004089386.tif 000007
【図６】
2004089386.tif 000008
【図７】
2004089386.tif 000009
【図８】
2004089386.tif 000010
【図９】
2004089386.tif 000011
【図１０】
2004089386.tif 000012